(57)【要約】【課題】箱本体に影絵が楽しめるように工夫することで、箱自体を楽しむことを可能とし、さらにこの箱を梱包資材として利用することで、梱包資材のみならず、被梱包物の付加価値をも向上させるにいたる従来にない新しいタイプの箱を提供するものである。【解決手段】箱側面に半透明のスクリーンを、箱内部に光源を設置し、箱内部の光源から発した光が遮蔽物の影を箱側面のスクリーンに投影するようにした。これにより、箱本体は影絵を楽しむことが可能となった。また、この箱に被梱包物を梱包することで、影絵を楽しむことができ、且つ梱包資材として利用することを可能とした。【選択図】図１
2008100760.tif 000002
【特許請求の範囲】
【請求項１】
箱側面に半透明のスクリーンを、箱内部に光源を設置した梱包箱であり、箱内部の光源から発した光が遮蔽物の影を箱側面のスクリーンに投影することを特徴とする影絵箱。
【請求項２】
梱包資材として利用する箱であり、被梱包物を梱包し、且つ遮蔽物の影を箱側面に投影すること特徴とする請求項１記載の梱包用の影絵箱。
【発明の詳細な説明】
【技術分野】
【０００１】  本発明は影絵を利用することによって新しい付加価値を提供する箱に関する。
【背景技術】
【０００２】  従来、箱は様々な用途で利用されている。主には物体を包んで保護するために利用されており、その多くは物体が輸送状態にある時の物体の破損・品質低下の防止に利用されている。【０００３】  贈答の場面においても前記の様な箱に梱包し輸送されることで、折角の贈答品であるにも拘らず、受け取る方の感動を減少させてしまう。贈答品を贈る方、贈られる方が満足できるものにするためには、梱包の箱に対して工夫を凝らすことが急務である。【０００４】  例えば、特開２００５−３２５４７６のリボンを備えた梱包箱、あるいは特開２０００−２４７３３２のクリスマスツリーの形状をした梱包箱、特開平０６−１５６４７５の間仕切りを工夫したものなど多く見られる。【０００５】  また、特開２００２−１０４４２０の場合は箱を開いた際、メロディーが流れ、花を添えるという工夫がなされている。後々まで装飾品として楽しめる梱包箱であるが、花とメロディーに依存した構造となっている。
【特許文献１】特開２００５−３２５４７６
【特許文献２】特開２０００−２４７３３２
【特許文献３】特開平０６−１５６４７５
【特許文献４】特開２００２−１０４４２０
【発明の開示】
【発明が解決しようとする課題】
【０００６】  前記の背景技術を考慮すると、これまでにない面白い発想で箱本体に工夫を施すことで、箱自体を楽しむことを可能とし、さらにこの箱を梱包資材として利用することで、梱包資材のみならず、被梱包物の付加価値をも向上させるにいたる従来にない新しいタイプの箱を提供するものである。
【課題を解決するための手段】
【０００７】  前記の課題を解決するため、箱側面に半透明のスクリーンを、箱内部に光源を設置した箱であり、箱内部の光源から発した光が遮蔽物の影を箱側面のスクリーンに投影することを特徴とする影絵箱を提供する。【０００８】  第２の発明は前記と同様に、前記の課題を解決するため、梱包資材として利用する箱であり、被梱包物を梱包し、且つ遮蔽物の影を箱側面に投影すること特徴とする請求項１記載の梱包用の影絵箱を提供する。【０００９】  影絵は箱内部に光源を設置し、箱側面を利用した半透明のスクリーンを設置した基本設計を持つ。スクリーン面と光源の間に任意の遮蔽物を設置することで、箱内部では光源からの光が遮蔽物を通してスクリーン面に投影され、箱外部から遮蔽物の影絵を目視することが可能となる。【００１０】  梱包用の箱としては、被梱包物に適宜の寸法と形状を採用し、輸送に耐えうる適宜な材質をもって前記の影絵箱を製作し、被梱包物を格納することで実現する。
【発明の効果】
【００１１】  本発明によれば、箱内部に光源を設置し、箱側面を利用した半透明のスクリーンを設置することにより、箱内部の光源から発する光が遮蔽物を通してスクリーン面に投影され、箱外部から遮蔽物の影絵を目視することが可能となる。すなわち、箱を箱としてだけではなく、ひとつの装飾物としての利用が可能となるものである。さらにこれを贈答の場面において、梱包用の箱として利用することで梱包資材としての魅力が向上するだけでなく、梱包された被梱包物の付加価値として認識され、贈答品を贈る方、贈られる方が満足できるものを提供することが可能となる。
【実施例】
【００１２】  本発明は発明の核となる光源から発する光を遮蔽物を通して箱側面のスクリーンに投影させる影絵を箱のどの部分にどのように設置するかによって、その箱の形状および、その材質を変えて設計する必要がある。こうすることで影絵の見え方が変化し、より箱に対しての面白さが増すものである。以下は実施例と図面を参照しながら、本発明を説明する。【００１３】  まず、影絵をなすためのそれぞれの定義である。箱については正四面体、立方体、三角錐などの立体的な構造を保つことができるものであれば、材質もいとわないが、箱側面は光を遮断する材質でできている。箱側面を利用して設置するスクリーンについては、箱内部の光源から発する光を箱外部から目視できる半透明な材質である。また、箱の側面を利用するため、本来の箱としての十分な強度を保つものである。すなわち、光源から光を発し箱の蓋を閉めたとき、スクリーン以外から光が漏れない構造である。【００１４】  次に影絵の投影に大きく関係する光源についてであるが様々な例が挙げられる。最も簡易な方法では、箱を開封して利用者が蝋燭に火を灯す方法である。この場合、安全を考慮した材質、例えば不燃性の紙やプラスチックなど箱自体の材質が適宜に異なってくる。いわゆる炎を光源とした影絵を利用することにより、炎の揺らぎなど電球では得ることのできない光を得ることが可能となる。また、別の光源として前記した電球、あるいは発光ダイオードを利用することにより安全性が比較的向上するほか、合わせて箱に光源のスイッチを設置したり、点滅のできる制御回路を有した構造が可能となる。【００１５】  そして、遮蔽物に関してであるが、基本的にカード状の形状で、スクリーンに対して、ひと回り程度大きい程度のものであればよい。これに物体や文字をかたどった切抜きが施されたものであるが、投影された写像がスクリーンをはみ出すことはできないので、切抜きの大きさはスクリーン面より一回り程度小さいものでなければならない。また、影絵利用中に折れ曲がったり、破れたりしないような強度を保つ適宜な材質でなければならない。利用用途に応じて、箱内部に固定されたものと任意の遮蔽物を箱内部に取り付けて扱うものがある。特に後者はひとつの箱に対して、何種類かの遮蔽物を取り替えることが可能となる。あるいは、数枚の遮蔽物を連結させてこれを引っ張ることで影絵に動作をつけることも可能である。これについては［第８実施例］にて説明する。また、固定であるなしに関わらず、遮蔽物の設置はスクリーンと光源とがなす直線上に設置し、スクリーンに対して平行であること、遮蔽物をスクリーン面から５ｍｍ前後の距離に設置位置があることが条件となる。これは遮蔽物の写像をスクリーンに投影するとき、鮮明な影絵を保つための最低条件である。特にスクリーンの数が多い場合やスクリーンが球形をしている場合があるので、これを考慮してスクリーンに依存した構造を伴わなければならない。これについては［第５実施例］［第６実施例］にて説明する。【００１６】  ［第１実施例］図１、図２は本発明の第１実施例を示している。これが本発明の基本的な実施例となる。箱本体ａの１側面に半透明状で十分な強度を持ったスクリーン０１が設置してある。また、��内部には光源０２が設置されている。ここにスクリーン０１と光源０２がなす直線上で、スクリーンから５ｍｍ程度の箇所に遮蔽物０３をスクリーン０１と平行になるよう固定している。光源０２が光を発すると箱内部に光が充満する。ここで光は遮蔽物０３の写像をスクリー０１に投影し、箱外部からスクリーン０１より遮蔽物０３の影絵を目視することが可能となるものである。【００１７】  ［第２実施例］図３、図４は本発明の第２実施例を示している。これは本発明の影絵箱を梱包用の箱として利用する実施例である。箱本体ａの１側面に半透明状で十分な強度を持ったスクリーン０１が設置してある。また、箱内部には光源０２が設置されている。ここにスクリーン０１と光源０２がなす直線上で、スクリーンから５ｍｍ程度の箇所に遮蔽物０３をスクリーン０１と平行になるよう固定している。ここで、被梱包物ｃを梱包できるよう、光源０２と遮蔽物０３との距離は被梱包物の奥行き以上を要する。また、箱の高さと幅についても被梱包物の寸法に依存する。例えば、被梱包物ｃの寸法が幅１０ｃｍ、高さ２０ｃｍ、奥行き３０ｃｍであった場合、箱幅１０ｃｍ以上、箱高２０ｃｍ以上、光源０２と遮蔽物０３との距離は３０ｃｍ以上を必要とする。この場合、被梱包物を取り出した後に影絵を利用することを特徴とした実施例である。【００１８】  前記した第２実施例によれば、比較的小さい被梱包物であっても、形状が単純であるため加工しやすい。例えば、ＣＤやＤＶＤなど取り出して利用するもののパッケージとして適している。図５は本発明におけるＣＤを梱包する際の第２実施例を示している。基本的な構造は第２実施例と同様であるため省略するが、形状は一般的である幅１４２ｍｍ、高さ１２４ｍｍ、奥行き１０ｍｍとして設計している。また、被梱包物を取り出した後に影絵が表示されるので、被梱包物を取り出す際に光源から光を発しなくてはならない。光源については、接触センサを採用した。これにより梱包状態にあるＣＤを取り出した際に箱に設置してある接触センサとＣＤの接触面が離れることによって光を発するものである。すなわち、ＣＤを取り出したと同時に影絵が梱包箱に写るようになる。【００１９】  ［第３実施例］図６は本発明の第３実施例を示している。これは被梱包物を箱から取り出すことなく影絵を利用するための実施例である。箱本体ａの１側面に半透明状のスクリーン０１が設置してある。また、箱内部には光源０２が設置されている。ここにスクリーン０１と光源０２がなす直線上で、スクリーンから５ｍｍ程度の箇所に遮蔽物０３をスクリーン０１と平行になるよう固定している。これらは箱の高さに対して高い位置に設置している。高い位置とはスクリーン０１と光源０２がなす直線上に被梱包物ｃが重ならない程度の高さであり、例えば、被梱包物ｃの寸法が幅１０ｃｍ、高さ２０ｃｍ、奥行き３０ｃｍ、遮蔽物０３の寸法が縦５ｃｍ、横１０ｃｍであった場合、箱幅１０ｃｍ以上、箱高２５ｃｍ以上、光源０２と遮蔽物０３との距離３０ｃｍ以上を必要とする。箱をこのような構造にすることで、被梱包物が梱包されている状態であっても、スクリーン０１と光源０２がなす直線上に被梱包物が重ならないので光源から発する光が遮断されること��なくなり、箱外部から影絵を目視することが可能となる。すなわち、被梱包物を箱から取り出すことなく影絵を利用することを特徴とした実施例である。【００２０】  ［第４実施例］図７は本発明の第４実施例を示している。これは前記の第３実施例の応用版であり、影絵をなす部分Ａと被梱包物を梱包する部分Ｂに区別した例である。影絵をなすスクリーン０１、光源０２、遮蔽物０３は第３実施例と同様の構造をしているが、影絵をなす部分Ａと被梱包物を梱包する部分Ｂに間仕切りをし、それぞれ独立した部位としている。この場合、間仕切りによって梱包された被梱包物が影絵をなす部分Ａに侵入してくる事を防ぐ構造になるので、第３実施例と同様に被梱包物を箱から取り出すことなく、影絵を利用することを可能としている。さらに間仕切りをすることにより、被梱包物を梱包する部分Ｂは影絵をなす部分Ａに依存しない構造をとることが可能となる。たとえば、被梱包物の取り出しにおいて、引出しや観音扉の形状に設計することが可能となる。【００２１】  前記した第３実施例、第４実施例によれば、被梱包物を梱包箱に入れたまま観賞用として扱い、且つ影絵を利用することが可能である。例えば、ぬいぐるみやおもちゃなどのパッケージに適している。図８は本発明におけるぬいぐるみを梱包する際の第４実施例を示している。基本的な構造は第４実施例と同様であるが、影絵をなす部分Ａを箱の上下に２箇所に設置し、箱を倒した状態で正常の位置とした。すなわち、箱上部にスクリーン０１、箱底部に光源０２が設置させており、スクリーン０１と光源０２がなす直線は縦になる構造である。また、梱包箱内のぬいぐるみは常に見える状態を保つため、被梱包物を梱包する部分Ｂの一部側面を透明な材質とし、これが上部に開く開閉口とした。【００２２】  ［第５実施例］図９は本発明の第５実施例を示している。これは第４実施例と同様に影絵をなす部分Ａと被梱包物を梱包する部分Ｂに間仕切る実施例であるが、さらに応用した構造をもつものであり、前記したスクリーンが多数ある場合の実施例である。図９のように影絵をなす部分Ａの底面以外の側面をスクリーン０１として作り、影絵をなす部分Ａの底面に光源０２を設置し、その間に箱本体ａに相似した形状の遮蔽物０３を光源０２に覆い被せるように設置する。光源０２の光の通り道が前後左右と上方向へ広がり、５面のスクリー０１に遮蔽物０３が投影される。すなわち、箱本体ａの外部から５面の影絵を目視できることを特徴とした実施例である。【００２３】  ［第６実施例］図１０は本発明の第６実施例を示している。同様の考え方で影絵をなす部分Ａと被梱包物を梱包する部分Ｂに間仕切る実施例であるが、前記したスクリーンが球形の形状をしている場合の実施例である。影絵をなす部分Ａを半球体の形状にして、その球面部分にスクリーン０１を設置している。底面に光源０２を設置し、その間にスクリーン０１に相似した形状の遮蔽物０３を光源０２に覆い被せるように設置する。このような構造をもつことで、光源０２の光は球面状に広がり、半球形の投影がなされる。すなわち、プラネタリウムのような影絵を目視できることを特徴とした実施例である。【００２４】  ［第７実施例］さらに遮蔽物を回転させること���、より面白い影絵を目視することが可能となる。図１１は第７実施例における遮蔽物を回転させるための構造を示している。この場合、箱は影絵をなす部分Ａと被梱包物を梱包する部分Ｂの間に遮蔽物を回転させる部分Ｃを挿入した構造をとる。また、遮蔽物０３は底面を持つ構造をとり、底面中央裏から突起した軸を設けている。この軸は遮蔽物を回転させる部分Ｃへ突き抜けており、この軸へ動力を伝えることで遮蔽物の回転を可能としている。【００２５】  図１２は第６実施例における回転させる部分Ｃのいくつかの例を示している。（図１２−ａ）軸の先端はバブルギアとなっており、その逆方向の先端は箱外部に突き出ている。これに持ち手として、回転させることで、動力が遮蔽物へ伝わり、遮蔽物は回転する。この方法はコスト、手段として最も簡易なものである。（図１２−ｂ）あるいは、バブルギアの先端に箱外部へ露出しないよう変速ギア、モータの順に設置し、モータのスイッチを配す。この場合は、スイッチを入れるとモータが駆動し、この動力を変速ギアにて減速させ、減速した動力を遮蔽物へと伝える。すなわち、モータのスイッチを入れることにより遮蔽物の回転が可能となる。さらに前記した光源のスイッチとモータのスイッチを連動させれば、スイッチひとつで光を発し、遮蔽物が回転する仕組みを可能とする。これにより、遮蔽物を回転させる部分Ｃで作った動力を基に遮蔽物は回転し、光によってスクリーンに投影させる写像も回転する。すなわち、箱本体０１の外部から目視する影絵がメリーゴーランドのように回転する事を特徴とした実施例である。【００２６】  ［第８実施例］より面白い影絵を作るにあたり、第７実施例では遮蔽物に回転の動作を付加したが、別の動作を付加することも可能である。前記した数枚の遮蔽物を連結させる方法である。遮蔽物一枚は前記したとおり、スクリーン面よりひと回り大きく切抜きを施したものであるが、これを数枚連結させている。また、梱包資材としての利用であるならば、連結した遮蔽物は箱内に収納できるよう蛇腹状に作り、折りたたんで収納できるようにしておく。【００２７】  また、この蛇腹状の連結した遮蔽物を使って影絵を実現するため、箱本体の細工が必要である。箱のスクリーン面の両サイドの側面に遮蔽物を通すことのできる穴をあけておく。これは遮蔽物の設置位置にぴったりとあう位置となる。また、遮蔽物がスムースにスライドするために、遮蔽物の設置位置上下にガイドを設置する。すなわち、遮蔽物を穴に通していくとスムースにガイドに従って固定位置まで達し、逆側面の穴から出て行きく構造をとる。こうすることにより、前記の連結した遮蔽物はスライドし、光源から発した光によってスクリーンに投影されるとき、写像は遮蔽物のスライドに沿ってスライドしていく。すなわち、箱本体の外部から目視する影絵が紙芝居のようにスライドする事を特徴とした実施例である。【００２８】  前記した第５実施例、第６実施例、第７実施例、第８実施例によれば、被梱包物の特性を生かした実施例を用いればよい。もはや被梱包物は多岐にわたることになる。例えば、贈答の場面であるならば、ケーキや花、ワインなどが想定できる。つまりこれらに適した形状の箱を設計することが可能である。【��０２９】  また、前記した電球や発光ダイオードなど光源の選択、また、これを点灯あるいは点滅させるためのスイッチの設置、遮蔽物のバリエーション、箱の形状、材質を様々に組み合わせることにより、次々と面白い影絵を投影することのできる箱を提供できるものである。
【図面の簡単な説明】
【００３０】
【図１】本発明による影絵箱の実施例１の斜視図
【図２】図１の平面図
【図３】本発明による影絵箱の実施例２の平面図
【図４】図３のＸ−Ｙ断面図
【図５】本発明におけるＣＤを梱包する際の第２実施例の斜視図
【図６】本発明による影絵箱の実施例３の縦断面図
【図７】本発明による影絵箱の実施例４の斜視図
【図８】本発明におけるぬいぐるみを梱包する際の第４実施例の斜視図
【図９】本発明による影絵箱の実施例５を構成する各部材の状態の斜視図
【図１０】本発明による影絵箱の実施例６を構成する各部材の状態の斜視図
【図１１】本発明による影絵箱の実施例７の斜視図
【図１２】本発明による影絵箱の実施例７における遮蔽物を回転させる部分Ｃの断面図（図１１のＸ−Ｙ断面図）
【符号の説明】
【００３１】  ａ箱本体
ｂ蓋
ｃ被梱包物
Ａ影絵をなす部分
Ｂ被梱包物を梱包する部分
Ｃ遮蔽物を回転させる部分
０１スクリーン
０２光源
０３遮蔽物
０４接触センサ
０５バブルギア
０６持ち手
０７モータ
０８スイッチ
【図１】
2008100760.tif 000003
【図２】
2008100760.tif 000004
【図３】
2008100760.tif 000005
【図４】
2008100760.tif 000006
【図５】
2008100760.tif 000007
【図６】
2008100760.tif 000008
【図７】
2008100760.tif 000009
【図８】
2008100760.tif 000010
【図９】
2008100760.tif 000011
【図１０】
2008100760.tif 000012
【図１１】
2008100760.tif 000013
【図１２】
2008100760.tif 000014